(57)【要約】【課題】組み立て易く、キャップ装着時にペン先が挿入された際にも、ペン先と多孔質体との接触面積が大きくなり、沈降した顔料の吸収が十分となるため、ペン先の目詰まりを防止することができるマーキングペン用キャップ、及び描線カスレもなく、良好な筆記性を有するマーキングペンを提供する。【解決手段】マーキングペンのペン先の先端と接触させるための多孔質体を設けたマーキングペン用キャップ１０であって、前記多孔質体１３側面には、前記マーキングペンの軸方向と平行となるスリット溝１４が少なくとも１つ設けてあることを特徴とするマーキングペン用キャップ。また、本発明のマーキングペンは、上記構成のマーキングペン用キャップ１０を備えたことを特徴とする。【選択図】図１
2010083097.tif 000002
【特許請求の範囲】
【請求項１】
マーキングペンのペン先の先端と接触させるための多孔質体を備えたマーキングペン用キャップであって、前記多孔質体側面には、マーキングペンの軸方向と平行となるスリット溝が設けられていることを特徴とするマーキングペン用キャップ。
【請求項２】
前記多孔質体は、マーキングペンの軸方向と平行な中心線を持つ略円柱形であることを特徴とする請求項１に記載のマーキングペン用キャップ。
【請求項３】
前記多孔質体が繊維束体であることを特徴とする請求項１又は２に記載のマーキングペン用キャップ。
【請求項４】
繊維の方向がマーキングペンの軸方向と平行であることを特徴とする請求項３に記載のマーキングペン用キャップ。
【請求項５】
前記多孔質体が樹脂焼結体、あるいは、樹脂の連続気泡体であることを特徴とする請求項１又は２に記載のマーキングペン用キャップ。
【請求項６】
請求項１〜５の何れか一つに記載のマーキングペン用キャップを備えたことを特徴とするマーキングペン。
【請求項７】
マーキングペンには、顔料を含むインキ組成物を収容してなることを特徴とする請求項６に記載のマーキングペン。
【発明の詳細な説明】
【技術分野】
【０００１】
本発明は、マーキングペンのペン先の先端と接触させるための多孔質体を備えたマーキングペン用キャップ、及びそのマーキングペン用キャップを有するマーキングペンに関する。
【背景技術】
【０００２】
従来より、マーキングペンのキャップ内に多孔質体を備えたものが知られている。この多孔質体を備えたマーキングペン用キャップは、無機顔料又は有機顔料が搭載されたインキ組成物を有するマーキングペンをペン先下向きの状態に保管した際に、顔料が沈降した場合等にペン先の目詰まりを防止するためのものである。
【０００３】
このようなマーキングペン用キャップとしては、例えば、１）多孔性の材料から成りキャップを挿入した際ペン先と密接するプラグが内部に嵌込まれているキャップを備えたフエルトペンにおいて、プラグが発泡処理或いは焼結処理したポリビニリデン或いは弗化ポリビニリデンから成るもの、または、プラグが一つ或いは多数の発泡処理した或いは焼結処理したポリオレフイン類からなることを特徴とするフエルトペン（例えば、特許文献１参照）、２）ペン芯の前方突出部分を覆うようにインキ貯蔵部を有する本体軸の前端側に着脱自在に装着されるキャップを備え、該キャップの内側前端には、ペン芯の基質部の前端露出部分を被覆してインキを吸収する吸液部材を装着すると共に、ペン芯の外皮部と吸液部材とによりペン芯の基質部中のインキとキャップ内の空気との接触を防止してなるマーキングペン（例えば、特許文献２参照）、３）優れた吸液性能を備えると共に、使用用途に応じて、任意の形状として一体成形できるマーキングペン用キャップの多孔質体として、熱可塑性エラストマーと、吸水性樹脂及び／又は吸油性樹脂と、発泡剤と、ブレンドオイルとを混合した混合物を成形加工してなる弾性を有する吸液性部材（例えば、特許文献３参照）、４）筆記板用マーキング用キャツプ内に装着した繊維束及び／又は多孔性の部材の圧縮永久歪み率を２０％以下から構成すると共に、キャップを装着した際に圧縮される繊維束及び／又は多孔性の部材の軸方向への厚みを３ｍｍ以上とし、かつ、顔料等を含有するインキ粘度を３〜８ｍＰａ・ｓの範囲とした筆記板用マーキングペン（例えば、特許文献４参照）などが知られている。
【０００４】
上記特許文献１〜４のマーキングペン用キャップに設ける多孔質体等は、上述に如く、発泡処理又は焼結処理したポリビニリデン、弗化ポリビニリデン、ポリオレフイン類や、熱可塑性エラストマーと、吸水性樹脂及び／又は吸油性樹脂と、発泡剤と、ブレンドオイルとを混合した混合物から構成したもの、または、繊維をランダムな糸まり状のものを圧縮した後、打ち抜きにより成形したものなどが使用されている。
【０００５】
しかしながら、これらの多孔質体等は、均一に弾性を有しており、ペン先を押し当てた場合、多孔質体は断面を平面に保ったまま高さ方向の縮みを発生させるものであるが、ペン先の多孔質体へのもぐり量が不十分となり、結果として、ペン先の保護が十分でなく、ペン先の目詰まりの防止は不十分なものとなっていた。また、ペン先に沈降した顔料が蓄積してくると、例えば、ホワイトボードマーカーの場合は、描線カスレが発生したり、消去性も悪くなるなどの課題が生じている。
更に、繊維方向が円柱高さ方向と平行の繊維束を多孔質体として使用した場合には、側面への圧縮反発力が弱く、キャップ開閉時に圧入した箇所等から多孔質体が脱落するなどの課題を有している。
【特許文献１】実開平６−１６０８７号全文公報（実用新案登録請求の範囲、実施例等）
【特許文献２】特開２０００−２８０６８５号公報（特許請求の範囲、実施例等）
【特許文献３】特開２００１−３１６５０６号公報（特許請求の範囲、実施例等）
【特許文献４】特開２００６−１２４４号公報（特許請求の範囲、実施例等）
【発明の開示】
【発明が解決しようとする課題】
【０００６】
本発明は、上記従来技術の課題等に鑑み、これを解消しようとするものであり、キャップ内に圧入等した場合にも脱落をおこさない反発力が得られると共に、ペン先を押し付けた場合にも、ペン先との接触面積が増大し、沈降した顔料の吸収が十分となり、描線カスレの発生もなく、優れた筆記性を発揮せしめることができるマーキングペン用キャップ、及びそのマーキングペン用キャップを有するマーキングペンを提供することを目的とする。
【課題を解決するための手段】
【０００７】
本発明者は、上記従来の課題等に鑑み、これを解消しようとするものであり、マーキングペンのペン先の先端と接触させるためのマーキング用キャップ内に備わる多孔質体を特定構造とすることなどのより、上記目的のマーキングペン用キャップ、及びそのマーキングペン用キャップを有するマーキングペンが得られることを見出し、本発明を完成するに至ったのである。
【０００８】
すなわち、本発明は、次の（１）〜（７）に存する。
（１）  マーキングペンのペン先の先端と接触させるための多孔質体を備えたマーキングペン用キャップであって、前記多孔質体側面には、マーキングペンの軸方向と平行となるスリット溝が設けられていることを特徴とするマーキングペン用キャップ。
（２）  前記多孔質体は、マーキングペンの軸方向と平行な中心線を持つ略円柱形であることを特徴とする上記（１）に記載のマーキングペン用キャップ。
（３）  前記多孔質体が繊維束体であることを特徴とする上記（１）又は（２）に記載のマーキングペン用キャップ。
（４）  繊維の方向がマーキングペンの軸方向と平行であることを特徴とする上記（３）に記載のマーキングペン用キャップ。
（５）  前記多孔質体が樹脂焼結体、あるいは、樹脂の連続気泡体であることを特徴とする上記（１）又は（２）に記載のマーキングペン用キャップ。
（６）  上記（１）〜（５）の何れか一つに記載のマーキングペン用キャップを備えたことを特徴とするマーキングペン。
（７）  マーキングペンには、顔料を含むインキ組成物を収容してなることを特徴とする上記（６）に記載のマーキングペン。
【発明の効果】
【０００９】
本発明によれば、多孔質体の側面にスリット溝を設けることによって、キャップ内の所定の位置に装着する際に、スリット溝の箇所で収縮し潰れしろとなって挿入しやすくなるため、組み立て易くなると共に、キャップ装着時にペン先が挿入された際にも、スリット溝が潰れしろ或いは逃げしろとなってペン先が十分に潜ることができるので、ペン先と多孔質体との接触面積が大きくなり、その結果、インキ中の顔料等の固形分が多孔質体へと移り易くなり、沈降した顔料等の吸収が十分となるため、ペン先の目詰まりを防止することができるマーキングペン用キャップ、及び描線カスレもなく、良好な筆記性を有するマーキングペンが提供される。
【発明を実施するための最良の形態】
【００１０】
以下に、本発明の実施形態を図面を参照しながら詳しく説明する。
図１（ａ）は、マーキングペン用キャップの実施形態の一例を示す断面図、（ｂ）はマーキングペン用キャップに備わる多孔質体の一例を示す斜視図、図２は図１のマーキングペン用キャップを備えたマーキングペンの実施形態の一例を示す部分断面図、図３（ａ）及び（ｂ）はそれぞれマーキングペン用キャップ内に設ける多孔質体の各他例を示す斜視図である。
【００１１】
本実施形態のマーキングペン用キャップ１０は、図１に示すように、有底筒状の外キャップ１１と内キャップ１２とを有し、該内キャップ１２内に圧入により多孔質体１３を装着したものである。このマーキングペン用キャップ１０は、後述するように、内キャップ１２でマーキングペンのペン先を包囲し、外キャップ１１がマーキングペンの先軸に着脱自在に装着される構造となるものであり、樹脂等を用いて一体成形により成形することができる。
【００１２】
この多孔質体１３には、側面にマーキングペンの軸方向と平行となるスリット溝１４が少なくとも１つ、本実施形態では、マーキングペンの軸方向と平行な中心線を持つ円柱形であり、多孔質体側面に、マーキングペンの軸方向と平行となるスリット溝１４が等間隔（９０°毎）で４つ設けられている。
このスリット溝１４を少なくとも１つ設けることによって、例えば、内キャップ１１内の底部の位置に装着する際に、スリット溝１４の箇所で、本実施形態では４箇所のスリット溝１４で収縮し潰れしろとなって挿入しやすくなるため、多孔質体１３を内キャップ１１の所定位置に簡単に装着（固定）できるので、その組み立てが容易となる。また、設計上も、多孔質体を固定するために、キャップ内の所定の箇所にリブ等の保持部材等を設ける必要がなく、金型の部品点数等も少なくなる等の構造上のメリットがある。本実施形態の如く、多孔質体１３を円柱形状とすることによって、方向性がなくなり、更に組み立て易くなっている。
【００１３】
この多孔質体１３の厚みは、マーキングペンの形状、ペン芯の形状、大きさ等により適宜な厚み範囲等とすることができ、好ましくは、１〜３０ｍｍ、更に好ましくは、３ｍｍ〜２０ｍｍとなるものが望ましい。また、周長も、マーキングペンの形状、ペン芯の形状、大きさ等により適宜な周長等とすることができ、好ましくは、１〜５０ｍｍ、更に好ましくは、２〜３０ｍｍとなるものが望ましい。
また、多孔質体１３の側面に設けるマーキングペンの軸方向と平行となるスリット溝１４の形状としては、例えば、図１（ｂ）に示すように、断面コ字状の他、楔形状（Ｖ字状）、半円状などを挙げることができ、また、その幅、深さ等は用いるペン芯の形状等により好適な幅、深さ、形状とすることができ、具体的には、幅０．２〜５ｍｍ、深さ０．２〜５ｍｍとなる上記各スリット溝形状が挙げられる。
更に、多孔質体１３の気孔率は、ペン先が触れたときに速やかにインクを吸収するという点から、好ましくは、３０〜９０％とすることが望ましい。なお、本発明で規定する気孔率は、エタノールで完全に満たして、重量増加分を空隙体積として計算した値である。
【００１４】
多孔質体１３の形状としては、軸方向側面にスリット溝を有するものであれば、その形状、大きさ等はマーキングペンの形状等により適宜な形状等とすることができ、特に限定されるものではない。図３は、多孔質体の各他例を示すものであり、（ａ）は多孔質体１３が三角柱状となっており、その一辺の中央部にマーキングペンの軸方向と平行な断面コ字状のスリット溝１４ａ，１４ａ…を設けたものであり、（ｂ）は多孔質体１３がその上面部（ペン先が接触する部分）が球状面となった円柱様の形状となっており、等間隔（９０°毎）にマーキングペンの軸方向と平行な楔形状（Ｖ字状）のスリット溝１４ｂ、１４ｂ…を設けたものである。
好ましくは、均一な収縮しろ潰れしろなどとするために、多孔質体１３の形状が断面方形形状（三角柱状、四角柱状等）のものであれば、少なくとも一辺の中央部にマーキングペンの軸方向と平行なスリット溝を設けることが好ましく、また、多孔質体１３の形状が円柱状、楕円柱状であれば、等間隔毎にマーキングペンの軸方向と平行なスリット溝を設けることが好ましい。具体的には、スリット溝１つ、１８０°毎にスリット溝を２つ、１２０°毎にスリット溝を３つ、９０°毎にスリット溝を４つ、７２°毎にスリット溝を５つ設けることなどが挙げられる。
【００１５】
このような多孔質体１３は、例えば、天然繊維、獣毛繊維、ポリアセタール系樹脂、アクリル系樹脂、ポリエステル系樹脂、ポリアミド系樹脂、ポリウレタン系樹脂、ポリオレフィン系樹脂、ポリビニル系樹脂、ポリカーボネート系樹脂、ポリエーテル系樹脂、ポリフェニレン系樹脂などの１種又は２種以上の繊維をバインダー樹脂または熱溶着で固めた繊維束、フェルト等の繊維束を加工したもの、または、樹脂等の焼結体、あるいは、樹脂等の連続気泡体から構成したもの、並びに、これらの繊維束と樹脂焼結体、連続気泡体多孔体とを組み合わせたもの等により構成することができる。
好ましくは、上記スリット溝の形成と共に、成形性、耐溶剤性（耐アルコールインキでの耐性）、接着剤（バインダー樹脂）との接着性等の点から、ポリアミド、ポリエステル、ポリアクリロニトリル、ポリウレタン、ポリプロピレン、ポリエチレンから構成される多孔質体１３が望ましい。
【００１６】
多孔質体１３を繊維束体で構成すれば、マーキングペンで用いるペン芯、中綿などと同じ工程を使い生産することができ、更に安価に製造することができ、また、この繊維束の繊維の方向がマーキングペンの軸方向と平行となる繊維束では円柱形状の多孔質体を容易に形成しやすいという利点もある。
また、樹脂等の焼結体、あるいは、樹脂等の連続気泡体から構成した多孔質体であれば、いかなる形状でも比較的容易に成形でき、例えば、意匠の都合で異形断面の柱状であっても製造が容易となる。
更に、繊維束等を作製する際等に用いるバインダー樹脂は、繊維を接着させるものであれば、特に限定されないが、アルコール性のインキを含んでも接着を維持する観点から、熱硬化性ポリウレタン、または、熱硬化性エポキシ樹脂の使用が好ましい。
【００１７】
本実施形態のマーキングペン用キャップ１０を装着するマーキングペン（本体）としては、特に限定されないが、例えば、図２に示すように、マーキングインキ組成物を貯蔵するインキ貯蔵部２１ａを有する本体部２１と、該本体部２１の先端に一体的に形成された先軸部２２と、先軸部２２に装着されたペン先となるペン芯２３と、本体部２１の後端部を施蓋する尾栓２４とを有し、インキ貯蔵部２１ａに収容（吸蔵）されるインキは毛管力によりペン芯２３へ供給される構造となるものが挙げられる。
また、インキ貯蔵部２１ａは、筆記板用等のマーキングインキ組成物を吸蔵するインキ吸蔵体から構成されるものである。このインキ貯蔵部２１ａやペン芯２３は、例えば、天然繊維、合成繊維などの１種又は２種以上の組み合わせからなる繊維束、フェルト等の繊維束を加工したもの、または、樹脂粒子、焼結体等の多孔体から構成することができる。
【００１８】
更に、用いるマーキングペン用インキ組成物としては、特に限定されるものでないが、本発明のマーキングペン用キャップの機能等を最大限に発揮せしめる点等から、顔料（無機顔料及び／又は有機顔料）を含むインキ組成物であるものが望ましい。
本発明においては、マーキングペン用キャップ１０をマーキングペン（本体）２０に装着した際のペン芯２３のもぐり量、具体的には、多孔質体にペン芯先端を接触させた状態から、１．５ｍｍ多孔質体側へペン芯を移動するように加重をかけ、多孔質体の内部をペン先となるペン芯がもぐっている長さは、ペン先と多孔質体の接触面積を大きくする点等から、０．５〜１０ｍｍとすることが好ましい。なお、このもぐり量の調整は、用いる多孔質体の材質種、成形方法、気孔率、ペン芯の材質、気孔率等を好適に組み合わせることにより行うことができる。
【００１９】
このように構成される本発明となるマーキングペン用キャップでは、キャップ内に装着等によって設けた多孔質体側面に、マーキングペンの軸方向と平行となるスリット溝を少なくとも１つ設けることによって、スリット溝で収縮し潰れしろとなるため圧入しやすくなり、また、多孔質体をキャップ内の所定位置に簡単に固定できるので、その組み立てが容易となる。また、設計上も、キャップ内の所定の箇所にリブ等の保持部材等を設ける必要がない等の構造上のメリットを有するものとなる。
【００２０】
また、本発明のマーキングペン用キャップをマーキングペン装着時に、ペン先が挿入された際にも、スリット溝が潰れしろ或いは逃げしろとなってペン先が十分に潜ることができるので、ペン先と多孔質体との接触面積が大きくなり、その結果、インキ内の顔料等の固形分が多孔質体へと移り易くなり、沈降した顔料等の吸収が十分となるため、ペン先の目詰まりを防止することができる優れた機能を有するマーキングペン用キャップとなる。
更に、このマーキングペン用キャップを有するマーキングペンでは、ペン先の目詰まりを防止することができるので、描線カスレもなく、良好な筆記性を有するマーキングペンが得られるものとなる。
【実施例】
【００２１】
次に、実施例及び比較例により本発明を更に詳細に説明するが、本発明は下記実施例等に限定されるものではない。
【００２２】
〔実施例１〜３及び比較例１〜３〕
下記各方法等により用いる多孔質体を作製した。得られた多孔質体を下記構成のマーキングぺン用キャップに装着し、マーキングペンを作製した（図１及び図２に準拠）。
得られたマーキングぺン用キャップ、マーキングペンを用いて、下記方法により、ペン芯もぐり量、多孔質体の脱落試験、下向き６ヶ月放置後の筆記性及び消去性の評価を行った。
これらの結果を下記表１に示す。
【００２３】
（実施例１）
下記方法により多孔質体を作製した。
３ｄのポリエステル繊維を束ねて長さ５ｃｍ、内径６ｍｍのステンレス製管に充填した。これに、エポキシ樹脂と硬化剤であるイソホロンジアミンを等量ずつ配合したものを酢酸ブチルに１０重量％溶解させたものにステンレス管の片側を投入し、繊維間隙に完全に接着剤溶液を滲みこませた。これを室温下で２４時間放置し、硬化を一部起こさせた。次に、ステンレス管から繊維束を取り出し、更に室温２４時間放置させ、溶媒を揮発させた。更に、８０℃に２４時間放置し、完全に硬化反応をさせた。
得られた繊維束の側面に、長手（軸）方向に１本、幅１．５ｍｍ、深さ１ｍｍのクサビ型（Ｖ字状）スリット溝を設け、更に、高さ（長さ）６．０ｍｍずつカットして、多孔質体を得た。この気孔率は、６０％であった。なお、スリット溝を設ける前の円柱体外径は６．０ｍｍであり、スリット溝を設けた後の円柱体外径は６．３ｍｍであった。
【００２４】
（実施例２）
上記実施例で得られた繊維束の側面に、長手方向に２本、幅１ｍｍ、深さ１ｍｍのコ字状のスリット溝を設け、更に、高さ６．０ｍｍずつカットして、多孔質体を得た。この気孔率は、６０％であった。スリット溝を設けた後の円柱体外径は６．４ｍｍであった。
（実施例３）
上記実施例で得られた繊維束の側面に、長手方向に１本、幅２ｍｍ、深さ２ｍｍのコ字状のスリット溝を設け、更に、高さ６．０ｍｍずつカットして、多孔質体を得た。この気孔率は、６０％であった。スリット溝を設けた後の円柱体外径は６．４ｍｍであった。
【００２５】
（比較例１）
上記実施例で得られた繊維束において、スリット溝のないという点以外は実施例１と同条件で作製した。この気孔率は、６０％であった。
（比較例２）
キャップ内にランダム繊維圧縮体（三菱鉛筆社製ＰＭ１５０Ｔ細側使用品、テイボー社製）を使用した。多孔質体の高さを６．０ｍｍとした。この気孔率は、８８％であった。スリット溝は有していない構造である。
（比較例３）
キャップ内に焼結ポリエチレン多孔質体（三菱鉛筆社製ＰＵＳ１０２Ｔ使用品）を使用した。多孔質体の高さを６．０ｍｍとした。この気孔率は、７０％であった。スリット溝は有していない構造である。
【００２６】
（マーキングぺン用キャップの構成）
図１に準拠するＨＤＰＥ製のマーキングぺン用キャップ（三菱鉛筆社製ＰＷＢ−４Ｍ、全長２９．６ｍｍ、最大外径φ１５ｍｍ）を用いた。
〔マーキングぺンの構成〕
図２に準拠するマーキングぺン（三菱鉛筆社製ＰＷＢ−４Ｍ）を用いた。
インキ吸蔵体（中綿）：ポリエチレンテレフタレート（ＰＥＴ）製の中綿から構成（気孔率８０％）、直径１２ｍｍ、長さ７０ｍｍ
ポリエステル製繊維束
ペン芯：アクリル繊維のスライバー芯から構成（気孔率５５％）、長さ３２ｍｍ
マーキングぺン本体：ＰＰ製
尾栓：ＨＤＰＥ製
インキ：ホワイトボードマーカーインキ〔三菱鉛筆社製ＰＷＢ−４Ｍ搭載黒インキ（カーボンブラック含有、粘度６．０ｍＰａ・ｓ、平均粒径１６０ｎｍ）〕を使用した。
マーキングぺン用キャップを装着（嵌合）したマーキングペンの全長：１１８．２ｍｍ
【００２７】
（ペン芯もぐり量の評価方法）
ペン芯もぐり量は、各多孔質体にペン芯先端を接触させた状態から、１．５ｍｍ多孔質体側へペン芯を移動するように加重をかけ、多孔質体の内部をペン先部がもぐっている長さをニコン社製投影顕微鏡により測定した。また、そのときの多孔質体側面の高さを測定した。
【００２８】
（多孔質体脱落試験方法）
多孔質体脱落試験は、三菱鉛筆製ＰＷＢ−４Ｍキャップに多孔質体を圧入し、１００個を１ｍの高さからコンクリート床に、キャップ開口部を下向きにして落下させ、多孔質体が脱落する個数を測定した。
【００２９】
（下向き６ヶ月放置後の筆記性の評価方法）
下向き６ヶ月放置後の筆記性は、三菱鉛筆社製ＰＷＢ−４Ｍ軸に実施例及び比較例の多孔質体を使用し、インキは三菱鉛筆社製ホワイトボードマーカー用インキＰＷＢ−４Ｍ黒を使用した。この軸をペン先が下向きの状態で室温６ヶ月間放置した後、ホワイトボード（プラス社製、SW-11）に螺旋書きした際の、初筆のカスレの程度を目視にて下記評価基準で評価した。
評価基準：
○：カスレもなく良好。
△：若干カスレあり。
×：カスレがある又は筆記不良。
【００３０】
（下向き６ヶ月後の消去性の評価方法）
下向き６ヶ月放置後の筆記性は、三菱鉛筆社製ＰＷＢ−４Ｍ軸に実施例比較例の多孔質体を使用し、インキは三菱鉛筆社製ホワイトボードマーカー用インキＰＷＢ−４Ｍ黒を使用した。この軸をペン先が下向きの状態で室温６ヶ月間放置した後、ホワイトボード（プラス社製、SW-11）に螺旋書きし、このホワイトボードを水平に置き、クレシア社製キムワイプを二つ折りにし、２００ｇのおもり（１辺２９ｍｍのスレンレス製立方体）を載せてこれを消去具とし、消去の具合を目視にて下記評価基準で評価した。
評価基準：
○：きれいに消去され良好。
△：一部消去残りが確認された。
×：汚れ発生。またはほとんど消去できない。
【００３１】
【表１】
2010083097.tif 000003
【００３２】
上記表１の結果から明らかなように、本発明範囲となる実施例１〜２は、本発明の範囲外となる比較例１〜３に較べて、耐落下性、下向き６ヶ月放置後の筆記性及ぶ消去性にすぐれていることが判明した。
【図面の簡単な説明】
【００３３】
【図１】（ａ）は、マーキングペン用キャップの実施形態の一例を示す断面図、（ｂ）はマーキングペン用キャップに備わる多孔質体の一例を示す斜視図である。
【図２】図１のマーキングペン用キャップを備えたマーキングペンの実施形態の一例を示す部分断面図である。
【図３】（ａ）及び（ｂ）はそれぞれマーキングペン用キャップ内に設ける多孔質体の各他例を示す斜視図である。
【符号の説明】
【００３４】
Ａ  マーキングペン
１０  マーキングペン用キャップ
１３  多孔質体
１４  スリット溝
２０  マーキングペン本体
【図１】
2010083097.tif 000004
【図２】
2010083097.tif 000005
【図３】
2010083097.tif 000006